(57)【要約】【課題】１以上のショーケースの照明装置をマスタコントローラによる集中管理によって照明制御する場合、マスタコントローラからショーケースに送信される照明制御信号の不達状態が発生しても手間をかけずに該不達状態の期間を短くすることができるショーケースの照明制御システム及びその照明制御方法を提供すること。【解決手段】マスタコントローラ１０は、信号生成部１３によって、照明制御対象のショーケース２０に対する照明制御信号を生成し、送信処理部１５によって、次の照明制御信号が生成されるまでの間、現在の照明制御信号を所定周期で繰り返しショーケース２０側に送信するマスタ照明制御部１１を備える。【選択図】図２
2016024906.tif 000002
【特許請求の範囲】
【請求項１】
マスタコントローラと１以上のショーケースとが通信路を介して接続され、少なくとも前記マスタコントローラから送信される照明制御信号によって前記ショーケースの照明装置を制御するショーケースの照明制御システムであって、
前記マスタコントローラは、
照明制御対象の前記ショーケースに対する前記照明制御信号を生成し、次の照明制御信号が生成されるまでの間、現在の照明制御信号を所定周期で繰り返し前記ショーケース側に送信するマスタ照明制御部を備え、
前記ショーケースは、
受信した照明制御信号をもとに当該ショーケースの照明装置を制御するスレーブ照明制御部を備えたことを特徴とするショーケースの照明制御システム。
【請求項２】
前記マスタ照明制御部は、
前記照明制御信号が生成される毎に該生成された照明制御信号に固有の送信識別情報を付加し、該送信識別情報を付加した照明制御信号を所定周期で繰り返し前記ショーケース側に送信し、
前記スレーブ照明制御部は、
前回受信した照明制御信号の送信識別情報を保持し、今回受信した照明制御信号の送信識別情報が前回受信した送信識別情報と同じ場合、現在の照明装置の状態を維持させ、今回受信した照明制御信号の送信識別情報が前回受信した送信識別情報と異なる場合、今回受信した照明制御信号に従って前記照明装置を制御することを特徴とする請求項１に記載のショーケースの照明制御システム。
【請求項３】
前記送信識別情報は、前記照明制御信号の生成順序を示す情報であることを特徴とする請求項２に記載のショーケースの照明制御システム。
【請求項４】
前記送信識別情報は、前記照明制御信号を生成する毎に所定値を加算した値であることを特徴とする請求項２に記載のショーケースの照明制御システム。
【請求項５】
前記照明制御信号は、照度を指示する信号であることを特徴とする請求項１〜４のいずれか一つに記載のショーケースの照明制御システム。
【請求項６】
マスタコントローラと１以上のショーケースとが通信路を介して接続され、少なくとも前記マスタコントローラから送信される照明制御信号によって前記ショーケースの照明装置を制御するショーケースの照明制御方法であって、
前記マスタコントローラは、照明制御対象の前記ショーケースに対する前記照明制御信号を生成し、次の照明制御信号が生成されるまでの間、現在の照明制御信号を所定周期で繰り返し前記ショーケース側に送信し、
前記ショーケースは、受信した照明制御信号をもとに当該ショーケースの照明装置を制御することを特徴とするショーケースの照明制御方法。
【請求項７】
前記マスタコントローラは、前記照明制御信号が生成される毎に該生成された照明制御信号に固有の送信識別情報を付加し、該送信識別情報を付加した照明制御信号を所定周期で繰り返し前記ショーケース側に送信し、
前記ショーケースは、前回受信した照明制御信号の送信識別情報を保持し、今回受信した照明制御信号の送信識別情報が前回受信した送信識別情報と同じ場合、現在の照明装置の状態を維持させ、今回受信した照明制御信号の送信識別情報が前回受信した送信識別情報と異なる場合、今回受信した照明制御信号に従って前記照明装置を制御することを特徴とする請求項６に記載のショーケースの照明制御方法。
【発明の詳細な説明】
【技術分野】
【０００１】
本発明は、１以上のショーケースの照明装置をマスタコントローラによる集中管理によって照明制御する場合、マスタコントローラからショーケースに送信される照明制御信号の不達状態が発生しても手間をかけずに該不達状態の期間を短くすることができるショーケースの照明制御システム及びその照明制御方法に関する。
【背景技術】
【０００２】
スーパーマーケットやコンビニエンスストア等の店舗に設置されるショーケースには、外部表示パネルや陳列する商品を照明するための照明装置が備えられている。この照明装置は、店舗が開店している間は点灯され、閉店時には省エネルギー化のために消灯される。
【０００３】
ショーケースの照明装置の照明制御には、ショーケース毎にローカルに制御する方式と、各ショーケースに接続されるマスタコントローラによって各ショーケースを集中管理制御する方式とがある。
【０００４】
ローカルに制御する方式は、例えば、作業員や店員がショーケース毎に設けられた照明操作スイッチの操作を行うものである。この場合、作業員や店員がショーケース１台ごとに照明操作スイッチを操作する必要があり、手間がかかって煩わしい。
【０００５】
これに対し、集中管理制御する方式では、マスタコントローラ側からショーケースの照明状態を一括管理制御することができるため、作業員や店員の煩わしさを軽減することができる。例えば、特許文献１には、マスタコントローラが通信線を介して複数台のショーケースを一括して集中管理し、予め設定された所定のスケジュールに従って各ショーケースの照明装置をオンオフ制御するものが記載されている。
【先行技術文献】
【特許文献】
【０００６】
【特許文献１】特開２００５−３０２３１６号公報
【発明の概要】
【発明が解決しようとする課題】
【０００７】
しかしながら、従来の集中管理制御によるショーケースの照明制御方式では、通信線に異常が生じた場合や通信ノイズの影響によって、マスタコントローラ側から送信される照明制御信号がショーケースに届かない不達状態が発生する場合がある。この場合、作業員や店員は、ショーケースの照明状態の目視やマスタコントローラに表示される照明状態の確認を行って、再度、マスタコントローラ側から照明制御信号の送信操作を行う必要がある。この場合、ショーケースの照明装置を一括して集中管理しているにもかかわらず、作業員や店員に対して操作の手間をかけることになる。
【０００８】
本発明は、上記に鑑みてなされたものであって、１以上のショーケースの照明装置をマスタコントローラによる集中管理によって照明制御する場合、マスタコントローラからショーケースに送信される照明制御信号の不達状態が発生しても手間をかけずに該不達状態の期間を短くすることができるショーケースの照明制御システム及びその照明制御方法を提供することを目的とする。
【課題を解決するための手段】
【０００９】
上述した課題を解決し、目的を達成するために、本発明にかかるショーケースの照明制御システムは、マスタコントローラと１以上のショーケースとが通信路を介して接続され、少なくとも前記マスタコントローラから送信される照明制御信号によって前記ショーケースの照明装置を制御するショーケースの照明制御システムであって、前記マスタコントローラは、照明制御対象の前記ショーケースに対する前記照明制御信号を生成し、次の照明制御信号が生成されるまでの間、現在の照明制御信号を所定周期で繰り返し前記ショーケース側に送信するマスタ照明制御部を備え、前記ショーケースは、受信した照明制御信号をもとに当該ショーケースの照明装置を制御するスレーブ照明制御部を備えたことを特徴とする。
【００１０】
また、本発明にかかるショーケースの照明制御システムは、上記の発明において、前記マスタ照明制御部は、前記照明制御信号が生成される毎に該生成された照明制御信号に固有の送信識別情報を付加し、該送信識別情報を付加した照明制御信号を所定周期で繰り返し前記ショーケース側に送信し、前記スレーブ照明制御部は、前回受信した照明制御信号の送信識別情報を保持し、今回受信した照明制御信号の送信識別情報が前回受信した送信識別情報と同じ場合、現在の照明装置の状態を維持させ、今回受信した照明制御信号の送信識別情報が前回受信した送信識別情報と異なる場合、今回受信した照明制御信号に従って前記照明装置を制御することを特徴とする。
【００１１】
また、本発明にかかるショーケースの照明制御システムは、上記の発明において、前記送信識別情報は、前記照明制御信号の生成順序を示す情報であることを特徴とする。
【００１２】
また、本発明にかかるショーケースの照明制御システムは、上記の発明において、前記送信識別情報は、前記照明制御信号を生成する毎に所定値を加算した値であることを特徴とする。
【００１３】
また、本発明にかかるショーケースの照明制御システムは、上記の発明において、前記照明制御信号は、照度を指示する信号であることを特徴とする。
【００１４】
また、本発明にかかるショーケースの照明制御方法は、マスタコントローラと１以上のショーケースとが通信路を介して接続され、少なくとも前記マスタコントローラから送信される照明制御信号によって前記ショーケースの照明装置を制御するショーケースの照明制御方法であって、前記マスタコントローラは、照明制御対象の前記ショーケースに対する前記照明制御信号を生成し、次の照明制御信号が生成されるまでの間、現在の照明制御信号を所定周期で繰り返し前記ショーケース側に送信し、前記ショーケースは、受信した照明制御信号をもとに当該ショーケースの照明装置を制御することを特徴とする。
【００１５】
また、本発明にかかるショーケースの照明制御方法は、上記の発明において、前記マスタコントローラは、前記照明制御信号が生成される毎に該生成された照明制御信号に固有の送信識別情報を付加し、該送信識別情報を付加した照明制御信号を所定周期で繰り返し前記ショーケース側に送信し、前記ショーケースは、前回受信した照明制御信号の送信識別情報を保持し、今回受信した照明制御信号の送信識別情報が前回受信した送信識別情報と同じ場合、現在の照明装置の状態を維持させ、今回受信した照明制御信号の送信識別情報が前回受信した送信識別情報と異なる場合、今回受信した照明制御信号に従って前記照明装置を制御することを特徴とする。
【発明の効果】
【００１６】
本発明によれば、マスタコントローラが、照明制御対象のショーケースに対する照明制御信号を生成し、次の照明制御信号が生成されるまでの間、現在の照明制御信号を所定周期で繰り返し前記ショーケース側に送信するようにしている。このため、マスタコントローラからショーケースに送信される照明制御信号の不達状態が発生しても手間をかけずに自動的に照明の状態が是正される他、該不達状態の期間を短くすることができる。
【図面の簡単な説明】
【００１７】
【図１】図１は、本発明の実施の形態の照明制御システムの制御対象であるショーケースの内部構造を側方から見た場合を模式的に示す断面側面図である。
【図２】図２は、本発明の実施の形態１であるショーケースの照明制御システムの構成を示すブロック図である。
【図３】図３は、本発明の実施の形態１のマスタ照明制御部による照明制御処理手順を示すフローチャートである。
【図４】図４は、本発明の実施の形態１のマスタ照明制御部による照明制御の一例を示すシーケンス図である。
【図５】図５は、本発明の実施の形態２であるショーケースの照明制御システムの構成を示すブロック図である。
【図６】図６は、本発明の実施の形態２のマスタ照明制御部による照明制御処理手順を示すフローチャートである。
【図７】図７は、本発明の実施の形態２のスレーブ照明制御部による照明制御処理手順を示すフローチャートである。
【図８】図８は、本発明の実施の形態２のマスタ照明制御部及びスレーブ照明制御部による照明制御の一例を示すシーケンス図である。
【発明を実施するための形態】
【００１８】
以下、添付図面を参照してこの発明を実施するための形態について説明する。
【００１９】
（実施の形態１）
［ショーケースの概要構成］
図１は、本発明の実施の形態の照明制御システムの制御対象であるショーケースの内部構造を側方から見た場合を模式的に示す断面側面図である。ここで例示するショーケース２０は、ケース本体１を備えている。ケース本体１は、前面に開口（以下、前面開口ともいう）１ａが形成された略直方状の断熱筐体であり、その内部には収納室２が画成されているとともに、空気循環機構３が設けてある。
【００２０】
収納室２は、前面開口１ａを臨む態様で画成された室であり、複数の商品載置棚４が上下方向に沿って複数段並べて配設されている。商品載置棚４は、それぞれ商品を載置するためのものである。収納室２の底部にはデッキパン５が配設されている。このデッキパン５は、商品載置棚４と同様に、商品を載置するためのものである。
【００２１】
空気循環機構３は、空気通路６と循環ファンＦとを備えて構成されている。空気通路６は、吸込口６ａから吹出口６ｂに至る空気の通路である。ここに吸込口６ａは、収納室２の内部の空気を吸い込むための開口であり、収納室２の左右方向に沿って延設されている。この吸込口６ａは、収納室２の下側前方縁部、すなわちケース本体１の前面開口１ａ近傍の下部に配設されている。吹出口６ｂは、収納室２の内部に空気を吹き出すための開口である。吹出口６ｂは、図示の例では２つ設けてあり、前側吹出口１７と後側吹出口１８とを有する。これら吹出口６ｂは、それぞれが収納室２の左右方向に延設してあって、収納室２の上側前方縁部、すなわちケース本体１の前面開口１ａ近傍の上部に前後に並設されている。
【００２２】
このような空気通路６は、収納室２外であってその下方にある下方ダクト１６ａと、収納室２外であってその背面側にある背面ダクト１６ｂと、収納室２外であってその上方にある上方ダクト１６ｃとを互いに連通した態様で構成されている。また、空気通路６は、下方ダクト１６ａの途中から外方通路２１１と内方通路２１２との２つに分かれている。外方通路２１１を通る空気は前側吹出口１７から吹き出し、内方通路２１２を通る空気は後側吹出口１８から吹き出す。循環ファンＦは、空気を循環させるものであり、下方ダクト１６ａの所定部位に配設されている。
【００２３】
このような空気循環機構３においては、循環ファンＦが駆動することにより吸込口６ａを通じて収納室２の内部にある空気（内部空気）を吸い込み、吸い込んだ空気が空気通路６を通過する態様で吹出口６ｂまで送出し、吹出口６ｂを通じて送出した空気を収納室２の内部に吹き出し、収納室２の内部と外部との間で空気を循環させて、収納室２の前面開口１ａ近傍にエアカーテンＡＣを形成するものである。
【００２４】
空気通路６の内方通路２１２には、蒸発器（冷却手段）７が設けてある。蒸発器７は、図示せぬ圧縮機、凝縮器及び膨張機構とともに冷媒を循環させる冷媒循環手段を構成する。ここで言う圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２５】
蒸発器７は、循環ファンＦが駆動することにより空気通路６の内方通路２１２を下方から上方に向けて通過する空気と、膨張機構で断熱膨張させた冷媒とを熱交換させるものであり、より詳細には、冷媒を蒸発させることにより内方通路２１２を通過する空気を冷却するものである。この蒸発器７で蒸発した冷媒は、再び圧縮機に戻り圧縮されることになる。
【００２６】
また、収納室２の背面を構成する背面パネル８には、複数の背面流入口（図示せず）が形成されている。背面流入口は、収納室２と内方通路２１２とを連通する開口であり、蒸発器７により冷却されて内方通路２１２を通過する空気の一部を収納室２に流入させるものである。
【００２７】
キャノピー９は、ケース本体１の上端部より前方に突き出す態様で設けられており、その前端部には、操作表示部２２が設けてある。照明装置２３は、庫外照明２３ａと複数の庫内照明２３ｂとを有する。庫外照明２３ａは、ショーケース２０の前方域に配置される外部表示パネル等を照明する。庫内照明２３ｂは、収納室２の内部を照明するものであり、特に商品載置棚４に載置された商品を照明する。本実施の形態では、庫外照明２３ａは、キャノピー９の前端下部に設けられ、庫内照明２３ｂは、吹出口６ｂの近傍及び各商品載置棚４の前端下部に設けられている。
【００２８】
以上のような構成によるショーケース２０は、循環ファンＦ及び圧縮機が駆動することにより、各商品載置棚４に載置された商品を所望の温度に保持することができる。
【００２９】
循環ファンＦの駆動により、収納室２の内部の空気は、吸込口６ａを通じて吸い込まれ、下方ダクト１６ａを通過し、その途中から外方通路２１１及び内方通路２１２のいずれかに進入する。外方通路２１１に進入した空気は、前側吹出口１７から吹き出される。この前側吹出口１７から吹き出された空気は、吸込口６ａに向かって流れることによりエアカーテンＡＣを形成し、前面開口１ａからの外気の進入を遮断することになる。
【００３０】
一方、下方ダクト１６ａの途中から内方通路２１２に進入した空気は、蒸発器７を通過して冷却され、冷気となって後側吹出口１８より吹き出される。この後側吹出口１８より吹き出される空気（冷気）は、吸込口６ａに向けて流れることによりエアカーテンＡＣを形成し、収納室２の内部にある商品、すなわち商品載置棚４及びデッキパン５に載置された商品を冷却することになる。
【００３１】
また、蒸発器７を通過して冷却された空気の一部は、背面流入口を通じて収納室２の内部に流入し、所定の商品載置棚４の上方域を通過して吸込口６ａに向けて流れることにより、商品載置棚４やデッキパン５に載置された商品を冷却する。
【００３２】
［ショーケースの照明制御システムの全体構成］
図２は、本発明の実施の形態１であるショーケースの照明制御システムの構成を示すブロック図である。図２に示すように、ショーケースの照明制御システムは、マスタコントローラ１０と１以上のショーケース２０−１〜２０−ｎ（２０）とが通信路Ｎを介して接続され、少なくともマスタコントローラ１０から送信される照明制御信号によって各ショーケース２０の照明装置２３−１〜２３−ｎ（２３）を制御する。通信路Ｎは、有線ラインであっても、無線ラインであってもよい。さらに、通信路Ｎは、インターネットなどのネットワークを含めてもよい。
【００３３】
マスタコントローラ１０は、マスタ照明制御部１１及び入出力部１２を有する。マスタ照明制御部１１は、信号生成部１３と送信処理部１５とを有する。信号生成部１３は、入出力部１２からの操作制御指示あるいはスケジューリングによる制御指示があった場合に制御対象のショーケース２０に対する照明制御信号を生成する。この照明制御信号には、照明装置２３のオン（点灯）、オフ（消灯）などの照明制御指示が含まれる。なお、照明制御指示には、オンオフに限らず、照度制御指示などのきめの細かい指示であってもよい。送信処理部１５は、信号生成部１３が次の照明制御信号を生成するまでの間、現在の照明制御信号を所定周期で繰り返しショーケース２０側に送信する処理を行う。
【００３４】
入出力部１２は、各種操作の入出力を行うものであり、例えばタッチパネルなどによって実現される。特に、入出力部１２は、制御対象のショーケース２０内の照明装置２３に対する照明制御指示を操作入力する。
【００３５】
各ショーケース２０は、スレーブ照明制御部２１−１〜２１−ｎ（２１）、操作表示部２２−１〜２２−ｎ（２２）、及び照明装置２３−１〜２３−ｎ（２３）を有する。また、各スレーブ照明制御部２１は、受信処理部２４−１〜２４−ｎ（２４）及び照明装置制御部２６−１〜２６−ｎ（２６）を有する。
【００３６】
受信処理部２４は、マスタコントローラ１０から送信された照明制御信号を受信する。照明装置制御部２６は、受信処理部２４が受信した照明制御信号をもとに、照明装置２３に対する照明制御を行う。
【００３７】
操作表示部２２は、図１に示したように、キャノピー９の前端部に設けられる。操作表示部２２は、例えばタッチパネルなどによって実現される。操作表示部２２は、マスタコントローラ１０からの照明制御信号による照明装置２３の照明制御とは別に、ローカルでショーケース２０毎の照明装置２３に対する照明制御を行うことができる。
【００３８】
［マスタ照明制御部による照明制御処理］
つぎに、図３に示したフローチャートを参照して、マスタ照明制御部１１による照明制御処理手順について説明する。なお、ここでは、説明を簡潔にするため、マスタ照明制御部１１が、各ショーケース２０に対して同一の照明制御信号を一斉同報送信する例を示す。
【００３９】
図３に示すように、まず、マスタ照明制御部１１は、信号生成部１３から照明制御信号が生成されたか否かを判断する（ステップＳ１０１）。照明制御信号が生成されていない場合（ステップＳ１０１，Ｎｏ）には、ステップＳ１０１の判断処理を繰り返し行う。一方、照明制御信号が生成された場合（ステップＳ１０１，Ｙｅｓ）、マスタ照明制御部１１は、生成された照明制御信号を、送信処理部１５から各ショーケース２０に一斉同報で送信する（ステップＳ１０２）。
【００４０】
その後、マスタ照明制御部１１は、信号生成部１３から次の照明制御信号が生成されたか否かを判断する（ステップＳ１０３）。次の照明制御信号が生成された場合（ステップＳ１０３，Ｙｅｓ）には、ステップＳ１０２に移行し、この次の照明制御信号を、送信処理部１５から各ショーケース２０に一斉同報で送信する。
【００４１】
一方、次の照明制御信号が生成されていない場合（ステップＳ１０３，Ｎｏ）、マスタ照明制御部１１は、照明制御信号の送信周期である所定時間を経過したか否かを判断する（ステップＳ１０４）。所定時間を経過した場合（ステップＳ１０４，Ｙｅｓ）には、現在の照明制御信号である最新の照明制御信号を、送信処理部１５から各ショーケース２０に一斉同報で送信し（ステップＳ１０５）、ステップＳ１０３に移行する。一方、所定時間を経過していない場合（ステップＳ１０４，Ｎｏ）には、ステップＳ１０３に移行する。
【００４２】
ここで、図４に示したシーケンス図をもとに、マスタ照明制御部１１による照明制御の一例を説明する。まず、ショーケース２０−１，２０−２は、照明消灯状態である（ステップＳ１３１，Ｓ１４１）とする。ここで、マスタコントローラ１０において、入出力部１２を介して照明点灯操作入力がある（ステップＳ１２１）と、信号生成部１３はショーケース２０−１，２０−２の照明装置２３−１，２３−２を点灯指示する照明制御信号Ｓ１を生成し、送信処理部１５はこの照明制御信号Ｓ１をショーケース２０−１，２０−２に一斉同報送信する。そして、送信処理部１５は、信号生成部１３が次の照明制御信号（照明制御信号Ｓ２）を生成するまでの間、所定期間Ｔ１の周期で照明制御信号Ｓ１を繰り返して一斉同報送信する。
【００４３】
図４では、送信処理部１５によって最初に送信された照明制御信号Ｓ１は、ショーケース２０−１には到達しているが、ショーケース２０−２に対しては通信異常Ｅの発生によって不達状態となっている。したがって、送信処理部１５が照明制御信号Ｓ１を最初に送信した時に、ショーケース２０−１は、照明制御信号Ｓ１によって照明消灯状態から照明点灯状態となる（ステップＳ１３２）が、ショーケース２０−２は、照明消灯状態のままとなる。
【００４４】
その後、所定時間Ｔ１時間経過後に２回目の照明制御信号Ｓ１が送信処理部１５から送信され、この時には通信異常Ｅが解消されているため、各ショーケース２０−１，２０−２に到達し、各ショーケース２０−１，２０−２はこの２回目の照明制御信号Ｓ１を受信する。この２回目の照明制御信号Ｓ１を受信した時に、ショーケース２０−１は、照明点灯状態を維持し、ショーケース２０−２は、照明消灯状態から、制御指示された照明点灯状態になる（ステップＳ１４２）。その後、ショーケース２０−１，２０−２が３回目の照明制御信号Ｓ１を受信した時も、ショーケース２０−１，２０−２は、それぞれ照明点灯状態を維持する。
【００４５】
その後、入出力部１２を介して照明消灯操作入力がある（ステップＳ１２２）と、信号生成部１３はショーケース２０−１，２０−２の照明装置２３−１，２３−２を消灯指示する照明制御信号Ｓ２を生成し、送信処理部１５はこの照明制御信号Ｓ２をショーケース２０−１，２０−２に一斉同報送信する。そして、送信処理部１５は、信号生成部１３が次の照明制御信号を生成するまでの間、所定期間Ｔ１の周期で照明制御信号Ｓ２を繰り返して一斉同報送信する。この照明制御信号Ｓ２は、最初の送信でそれぞれショーケース２０−１，２０−２に到達しており、ショーケース２０−１，２０−２はそれぞれ照明点灯状態から照明消灯状態となる（ステップＳ１３３，Ｓ１４３）。
【００４６】
本実施の形態１では、次の照明制御信号が生成されるまでの間、現在の照明制御信号を所定期間Ｔ１の所定周期で各ショーケース２０側に繰り返し送信しているので、通信異常Ｅが発生した場合であっても、作業員や店員の再操作を必要とする事無く、自動的に照明状態の是正が行われ、また、各ショーケース２０に対する照明制御信号の不達状態期間を短くすることができ、マスタコントローラ１０による各ショーケース２０に対する照明制御状態の復旧を迅速かつ容易に行うことができる。
【００４７】
なお、上述した実施の形態１では、マスタ照明制御部１１が照明制御信号を一斉同報送信することを前提として説明したが、これに限らず、ショーケース２０をグループ化し、各グループに一斉同報送信するようにしてもよい。また、ショーケース２０毎に独立して個別の照明制御信号を送信するようにしてもよい。この場合も、照明制御信号は、制御対象のショーケース２０毎に所定周期で繰り返し送信される。なお、ショーケース２０−１，２０−２に対して同一の照明制御信号Ａを所定周期で繰り返し送信した後、ショーケース２０−１に対してのみ次の照明制御信号Ｂを送信する場合、ショーケース２０−１には、最新の照明制御信号Ｂが繰り返し送信され、ショーケース２０−２には、引き続き、照明制御信号Ａが所定周期で繰り返し送信される。
【００４８】
また、上述した実施の形態１では、入出力部１２からの照明操作入力によって信号生成部１３が照明制御信号を生成するようにしていたが、これに限らず、入出力部１２からの照明操作入力以外に、信号生成部１３は、予め設定された照明スケジュールによって照明制御信号を生成するようにしてもよい。
【００４９】
さらに、上述した照明制御信号は、照明装置２３の点灯及び消灯を指示するものであったが、これに限らず、照度などをきめ細かく指示するものであってもよい。
【００５０】
また、上述した実施の形態１では、マスタコントローラ１０がショーケース２０に対して照明制御信号を放送するようにしていたが、これに限らず、ショーケース２０側からマスタコントローラ１０側に照明制御信号の肯定確認信号（ＡＣＫ信号）などを返信するようにしてもよい。マスタコントローラ１０側は、照明制御信号を送信した後、所定期間内にこのＡＣＫ信号を受信できなかった場合、通信路Ｎに通信障害が発生したものと認識し、入出力部１２からその旨を報知出力することが好ましい。
【００５１】
（実施の形態２）
次に、本実施の形態２について説明する。上述した実施の形態１では、マスタコントローラ１０側で次の照明制御信号が生成されて送信されるまでの間に、ショーケース２０側の操作表示部２２によってローカルに照明装置２３を照明制御した場合、マスタコントローラ１０側から繰り返し送信される照明制御信号の受信によって、このローカルな照明制御状態を維持することができないことになる。そこで、本実施の形態２では、ショーケース２０側の操作表示部２２を介してショーケース２０の照明装置２３をローカルに照明制御した場合、マスタコントローラ１０から次の照明制御信号が生成されて送信されるまでの間、ローカルに照明制御した照明制御状態を維持できるようにしている。
【００５２】
図５は、本発明の実施の形態２であるショーケースの照明制御システムの構成を示すブロック図である。図５に示したショーケースの照明制御システムでは、図２に示したショーケースの照明制御システムのマスタ照明制御部１１に、さらに情報付加部１４を付加し、各ショーケース２０のスレーブ照明制御部２１に情報抽出部２５−１〜２５−ｎ（２５）を付加している。
【００５３】
情報付加部１４は、信号生成部１３が照明制御信号を生成する毎に該生成された照明制御信号に固有の送信識別情報を付加する。この固有の送信識別情報が付加された照明制御信号は、次の照明制御信号が生成されるまでの間、送信処理部１５からショーケース２０側に所定周期で繰り返し送信される。
【００５４】
情報抽出部２５は、受信した照明制御信号から送信識別情報を抽出し、この送信識別情報を保持する。照明装置制御部２６は、今回受信した照明制御信号の送信識別情報が前回受信した送信識別情報と同じ場合、現在の照明状態を維持させ、今回受信した照明制御信号が前回受信した送信識別情報と異なる場合、今回受信した照明制御信号に従って照明装置２３を制御する。
【００５５】
情報付加部１４が付加する固有の送信識別情報は、信号生成部１３による照明制御信号の生成順序、すなわち発行番号であることが好ましい。また、送信識別情報は、信号生成部１３が照明制御信号を生成する毎に、所定値を加算する値であってもよい。この所定値の加算は、インクリメントした値であることが好ましい。
【００５６】
［マスタ照明制御部による照明制御処理］
つぎに、図６に示したフローチャートを参照して、実施の形態２のマスタ照明制御部１１による照明制御処理手順について説明する。なお、ここでは、説明を簡潔にするため、マスタ照明制御部１１が、各ショーケース２０に対して同一の照明制御信号を一斉同報送信する例を示す。
【００５７】
図６に示すように、まず、マスタ照明制御部１１は、信号生成部１３から照明制御信号が生成されたか否かを判断する（ステップＳ２０１）。照明制御信号が生成されていない場合（ステップＳ２０１，Ｎｏ）には、ステップＳ２０１の判断処理を繰り返し行う。一方、照明制御信号が生成された場合（ステップＳ２０１，Ｙｅｓ）、情報付加部１４は、生成された照明制御信号に固有の送信識別情報を付加する（ステップＳ２０２）。さらに、送信処理部１５は、送信識別情報が付加された照明制御信号を各ショーケース２０に一斉同報で送信する（ステップＳ２０３）。
【００５８】
その後、マスタ照明制御部１１は、信号生成部１３から次の照明制御信号が生成されたか否かを判断する（ステップＳ２０４）。次の照明制御信号が生成された場合（ステップＳ２０４，Ｙｅｓ）には、ステップＳ２０２に移行し、この次の照明制御信号に固有の送信識別情報を付加し、送信処理部１５から、送信識別情報が付加された照明制御信号を各ショーケース２０に一斉同報で送信する。
【００５９】
一方、次の照明制御信号が生成されていない場合（ステップＳ２０４，Ｎｏ）、マスタ照明制御部１１は、照明制御信号の送信周期である所定時間を経過したか否かを判断する（ステップＳ２０５）。所定時間を経過した場合（ステップＳ２０５，Ｙｅｓ）には、現在の送信識別情報が付加された最新の照明制御信号を、送信処理部１５から各ショーケース２０に一斉同報で送信し（ステップＳ２０６）、ステップＳ２０４に移行する。一方、所定時間を経過していない場合（ステップＳ２０５，Ｎｏ）には、ステップＳ２０４に移行する。
【００６０】
［スレーブ照明制御部による照明制御処理］
つぎに、図７に示したフローチャートを参照して、スレーブ照明制御部２１による照明制御処理手順について説明する。まず、受信処理部２４は、照明制御信号を受信したか否かを判断する（ステップＳ３０１）。照明制御信号を受信していない場合（ステップＳ３０１，Ｎｏ）には、ステップＳ３０１の判断処理を繰り返す。
【００６１】
一方、照明制御信号を受信した場合（ステップＳ３０１，Ｙｅｓ）、情報抽出部２５は、受信した照明制御信号から送信識別情報を抽出し、この送信識別情報を上書き保持する（ステップＳ３０２）。その後、照明装置制御部２６は、受信した照明制御信号の指示内容に応じて照明装置２３の照明制御を行う（ステップＳ３０３）。
【００６２】
その後、スレーブ照明制御部２１は、受信処理部２４が照明制御信号を受信したか否かを判断する（ステップＳ３０４）。照明制御信号を受信していない場合（ステップＳ３０４，Ｎｏ）には、ステップＳ３０４の判断処理を繰り返す。
【００６３】
一方、照明制御信号を受信した場合（ステップＳ３０４，Ｙｅｓ）、情報抽出部２５が抽出した今回の送信識別情報が、保持された前回の送信識別情報と異なるか否かを判断する（ステップＳ３０５）。送信識別情報が異なる場合（ステップＳ３０５，Ｙｅｓ）、今回の照明制御信号の指示内容に応じて照明装置２３の照明制御を行う（ステップＳ３０６）。その後、今回の送信識別情報を更新し（ステップＳ３０７）、ステップＳ３０４に移行する。
【００６４】
また、送信識別情報が同じ場合（ステップＳ３０５，Ｎｏ）、現在の照明装置２３の照明状態を維持し（ステップＳ３０８）、ステップＳ３０４に移行する。この現在の照明装置２３の照明状態とは、マスタコントローラ１０側の照明制御の結果であってもよいし、操作表示部２２から操作指示された照明制御の結果であってもよい。
【００６５】
ここで、図８に示したシーケンス図をもとに、実施の形態２のマスタ照明制御部１１及びスレーブ照明制御部２１による照明制御の一例を説明する。まず、ショーケース２０−１は、照明点灯状態である（ステップＳ２３１）とする。ここで、マスタコントローラ１０において、入出力部１２を介して照明消灯操作入力がある（ステップＳ２２１）と、信号生成部１３はショーケース２０−１の照明装置２３−１を消灯指示する照明制御信号を生成し、送信処理部１５は、この照明制御信号に対して情報付加部１４によって発行番号「１」が付加された照明制御信号Ｓ１１をショーケース２０−１に送信する。そして、送信処理部１５は、信号生成部１３が次の照明制御信号を生成するまでの間、所定期間Ｔ１の周期で、発行番号「１」の照明制御信号Ｓ１１を繰り返して送信する。
【００６６】
図８において、ショーケース２０−１は、１回目の照明制御信号Ｓ１１の受信の時、照明制御信号Ｓ１１が示す消灯指示に従って照明消灯状態とし（ステップＳ２３２）、現在の照明消灯状態を維持する。そして、２回目の照明制御信号Ｓ１１の受信までの間に、操作表示部２２−１による点灯指示によって、照明装置２３−１の照明消灯状態は照明点灯状態（手動照明点灯状態：ステップＳ２３３）に遷移している。その後、２回目の照明制御信号Ｓ１１を受信するが、この２回目の照明制御信号Ｓ１１の発行番号は「１」であり、１回目の照明制御信号Ｓ１１の発行番号と同じであるため、現在の手動照明点灯状態を維持し、２回目の照明制御信号Ｓ１１を無視する。同様に、３回目の照明制御信号Ｓ１１の発行番号も「１」であり、１回目の照明制御信号Ｓ１１の発行番号と同じであるため、現在の手動照明点灯状態を維持する。
【００６７】
その後、入出力部１２を介して照明消灯操作入力がある（ステップＳ２２２）と、信号生成部１３はショーケース２０−１の照明装置２３−１を消灯指示する照明制御信号を生成し、送信処理部１５は、この照明制御信号に対して情報付加部１４によって発行番号「２」が付加された照明制御信号Ｓ１２をショーケース２０−１に送信する。そして、送信処理部１５は、信号生成部１３が次の照明制御信号を生成するまでの間、所定期間Ｔ１の周期で照明制御信号Ｓ１２を繰り返して送信する。
【００６８】
ショーケース２０−１側では、受信した照明制御信号Ｓ１２の発行番号が「２」であり、前回の発行番号「１」とは異なるため、照明装置制御部２６−１は、この照明制御信号Ｓ１２の指示内容に従って、前回までの照明状態の如何にかかわらず、照明装置２３−１を消灯状態にする制御を行う。この結果、ローカルで照明制御されたステップＳ２３３による手動照明点灯状態は、次の照明制御信号Ｓ１２が生成されて送信されるまでの間、維持される。
【００６９】
すなわち、本実施の形態２では、次の照明制御信号が生成されるまでの間、ローカルで照明制御された場合、この照明状態を維持することができる。これにより、マスタコントローラ１０の集中管理による照明制御を行いつつ、ショーケース２０側でのローカルな照明制御による照明状態を所定条件下（次の照明制御信号が生成されるまでの間）、生かすことができ、柔軟な照明制御を実現できる。
【符号の説明】
【００７０】
１  ケース本体
１ａ  前面開口
２  収納室
３  空気循環機構
４  商品載置棚
５  デッキパン
６  空気通路
６ａ  吸込口
６ｂ  吹出口
７  蒸発器
８  背面パネル
９  キャノピー
１０  マスタコントローラ
１１  マスタ照明制御部
１２  入出力部
１３  信号生成部
１４  情報付加部
１５  送信処理部
１６ａ  下方ダクト
１６ｂ  背面ダクト
１６ｃ  上方ダクト
１７  前側吹出口
１８  後側吹出口
２０  ショーケース
２１  スレーブ照明制御部
２２  操作表示部
２３  照明装置
２３ａ  庫外照明
２３ｂ  庫内照明
２４  受信処理部
２５  情報抽出部
２６  照明装置制御部
２１１  外方通路
２１２  内方通路
ＡＣ  エアカーテン
Ｅ  通信異常
Ｆ  循環ファン
Ｎ  通信路
Ｓ１，Ｓ２，Ｓ１１，Ｓ１２  照明制御信号
Ｔ１  所定期間
【図１】
2016024906.tif 000003
【図２】
2016024906.tif 000004
【図３】
2016024906.tif 000005
【図４】
2016024906.tif 000006
【図５】
2016024906.tif 000007
【図６】
2016024906.tif 000008
【図７】
2016024906.tif 000009
【図８】
2016024906.tif 000010